(57)【要約】【課題】  素早く炎を消す効果があるリリース可能なガス出口バルブの構造を提供する。【解決手段】  載せ台３０にスクリュースリーブ３１が取り付けられる。スクリュースリーブ３１の頂端開口３１１から載せ台３０の底端開口３０１付近までガス出口ノズル３２が伸入し、ガス出口ノズル３２にフレンジ３２１、突き出し部３２２及び孔３２３が設けられ、突出し部３２２に取り付けられたばね３６の両端は突出し部３２２及びスクリュースリーブ３１頂端開口３１１内の隣接内壁に当て付けられる。ガス出口ノズル３２底端の開口３２４に気密パッキン３７が取り付けられ、ガス出口パイプ３３がフレンジ３２１と接続している。フレンジ３２１とスクリュースリーブ３１の頂端開口３１１間に設けられている作動レバー３５が押し下げられていない場合、ガス出口ノズル３２に設けられた肩部３２５とスクリュースリーブ３１の開口３１１との間に隙間Ｇがある。【選択図】  図３
2005265289.tif 000002
【特許請求の範囲】
【請求項１】
リリース可能なガス出口バルブの構造であって、点火器に使われ、
中空の載せ台を備え、その載せ台の底端開口からガスが進入可能であり、
スクリュースリーブを備え、そのスクリュースリーブは載せ台の頂端外部に取り付けられ、スクリュースリーブの頂端には開口があり、
ガス出口ノズルを備え、そのガス出口ノズルはスクリュースリーブの頂端開口から載せ台の底端開口付近まで伸入し、前記ガス出口ノズルの頂端はフレンジ状に形成されてスクリュースリーブの頂端開口から外へ露出し、前記ガス出口ノズルの外径とスクリュースリーブの内径間の予定された長さに突出し部が設けられ、前記ガス出口ノズルの突出し部にはばねが取り付けられ、ばねの両端はそれぞれ突出し部及びスクリュースリーブ頂端開口内の隣接内壁に当て付けられ、前記ガス出口ノズルの側壁の載せ台に隣接する内径個所には孔が設けられ、
気密パッキンを備え、その気密パッキンはガス出口ノズル底端の開口に取り付けられて載せ台の底端開口個所に介在し、
ガス出口パイプを備え、そのガス出口パイプはガス出口ノズルのフレンジと接続し、
作動レバーを備え、その作動レバーはガス出口ノズルのフレンジとスクリュースリーブの頂端開口間に設けられ、
前記ガス出口ノズルの外径のスクリュースリーブの内径開口近くには肩部が設けられ、作動レバーが押し下げられていない場合、前記肩部とスクリュースリーブの開口との間に一定した隙間が保持されていることを特徴とするリリース可能なガス出口バルブの構造。
【請求項２】
前記ガス出口ノズルの肩部にはパッキンが取り付けられ、作動レバーが押し下げられていない場合、それはスクリュースリーブの開口と予定された隙間を保持していることを特徴とする請求項１に記載のリリース可能なガス出口バルブの構造。
【請求項３】
前記ガス出口ノズルの肩部は円錐面に形成され、作動レバーが押し下げられていない場合、それはスクリュースリーブの開口と予定された隙間を保持していることを特徴とする請求項１に記載のリリース可能なガス出口バルブの構造。
【請求項４】
前記点火器は圧力式点火器であり、それには概して長方形の取っ手部があり、その取っ手部の一端は外へある距離延伸して中空のパイプが設けられ、そのパイプの自由端内には圧力ヘッドが設けられ、圧力ヘッドの一端とパイプが接続する個所の内径はやや大きく、それの他端の内径は小さく、取っ手部内にはガス筒が設けられ、そのガス筒の一端は載せ台の底端開口と互いに貫通していることを特徴とする請求項１に記載のリリース可能なガス出口バルブの構造。
【請求項５】
前記点火器は一般の点火器であり、それには概して長方形の取っ手部があり、その取っ手部の一端は外へある距離延伸して中空のパイプが設けられ、その取っ手部内にはガス筒が設けられ、そのガス筒の一端は載せ台の底端開口と互いに貫通していることを特徴とする請求項１に記載のリリース可能なガス出口バルブの構造。
【発明の詳細な説明】
【技術分野】
【０００１】
本発明は、リリース可能なガス出口バルブの構造に関するものであり、特に点火器に使われ、出口パイプ内に残ったガスを逆流させて外部へリリースさせ、それによって点火器出口で燃焼する炎を快速に消す効果が達成され、そのガス出口バルブによって使用者により完璧で安全な点火器を提供することができるガス出口バルブの構造に関する。
【背景技術】
【０００２】
一般に見られる従来の圧力式点火器には図１に示す如く、概して長方形の取っ手部１０があり、その取っ手部１０の一端は外へある距離延伸して中空のパイプ１１が設けられ、そのパイプ１１の自由端内には圧力ヘッド１２が設けられ、圧力ヘッド１２の一端１２１とパイプ１１が接続する個所の内径はやや大きいが、それの他端１２２の内径は明らかに小さく、かつ取っ手部１０内にはガス筒１３が設けられており、そのガス筒１３の一端はガス出口バルブ１４と接続し、そのガス出口バルブ１４は中空の載せ台１４１の前端外部からスクリュースリーブ１４２が取り付けられている。ガス出口ノズル１４３は載せ台１４１内の底端から外へ延伸してスクリュースリーブ１４２の前端口１４４を経て外に露出し、かつガス出口ノズル１４３のその端にはフレンジ１４５があってガス出口パイプ１５１と接続し、そのガス出口ノズル１４３のフレンジ１４５とスクリュースリーブ１４２の間には作動レバー１５が設けられている。
【０００３】
ガス出口ノズル１４３の外径とスクリュースリーブ１４２の内径間の予定された長さに突出し部１４６が設けられ、かつスクリュースリーブ１４２の内径とガス出口ノズル１４３の突出し部１４６間にはパッキン１４７とばね１４８が順番に設けられている。また、ガス出口ノズル１４３側壁の載せ台１４１に隣接する内径個所には孔１４９が設けられ、かつ気密パッキン１６がガス出口ノズル１４３の底端で載せ台１４１の底端内に介在している。
【０００４】
これにより、作動レバー１５が下へ押し下げられると（図２に示す如く）、ガス出口ノズル１４３のフレンジ１４５は引き上げられて底端の気密パッキン１６は上へ移動し、そのために載せ台１４１の底端は開き、ガス筒１３内のガスは載せ台１４１の開いた底端から進入し、かつ矢印方向に沿ってガス出口パイプ１５１よりパイプ１１の自由端から噴出し、点火パイプ（図面には示されていない）の元火を通じて炎が点火される。
【０００５】
ところが、上記ガス出口バルブ１４を用いて作られた圧力式点火器が点火した後は炎が消えるのが遅い現象が発生し、そのために使用者は、作動レバー１５が外されてガス出口ノズル１４３が元の位置に戻り、ガス筒１３内のガスが遮断されて炎は継続的に燃焼していないと間違ってしまう。が、事実はそうでなく、図１に示すように作動レバー１５が外されると、ガス出口ノズル１４３は元の位置に戻り、そのガス出口ノズル１４３底端の気密パッキン１６はすでに載せ台１４１の底端を密封してガス筒１３内のガスを遮断しているが、スクリュースリーブ１４２前端口１４４内のパッキン１４７はばね１４８に押さえられて依然気密な状態であり、そのためにガス出口パイプ１５１内に残っているガスは気流と圧力の原理によって逆流を起こすことができず、ガス出口パイプ１５１に沿って漏れ出すだけである。すなわちガス出口パイプ１５１内のガス圧力が外界の圧力より大きい場合、中にあるガスは絶えずパイプ１１の自由端から流れ出し、ガス出口パイプ１５１内の圧力が外界の圧力より小さくなったら流れが止まるので、これが炎が消えるのが遅い主な理由であり、かつ火災事故等補うことのできない遺憾なことの原因にもなる。
【発明の開示】
【発明が解決しようとする課題】
【０００６】
上記のような伝統的点火器内のガス出口バルブの安全に関する瑕疵が存在し、火災事故等補うことのできない遺憾を生じることに鑑み、それと同時にこの種の製品が使用者から好評を得ているので、市場と使用者の実際のニーズに基づき、かつ上記問題を解決するため、発明者はこの仕事に従事した長年の経験を生かし、長い期間の研究と実験を経て、ついに本発明「リリース可能なガス出口バルブの構造」を開発して、この巧みな発明によってより完璧でより安全保障のある点火器の提供ができるよう願っている。
【０００７】
本発明の目的は、リリース可能なガス出口バルブの構造を提供するものであって、そのガス出口バルブ構造のガス出口ノズルの外径のスクリュースリーブの内径開口近くには肩部が設けられ、作動レバーがまだ押し下げられていない場合、その肩部はスクリュースリーブの頂端開口とある予定距離を維持し、作動レバーが押し下げられると相対してガス出口ノズル底端の気密パッキンは上へ移動されて載せ台底端の開口が開き、ガスはただちにその中に進入することができ、それと同時にガス出口ノズルの肩部とスクリュースリーブの開口は密封され、ガスはガス出口ノズルからガス出口パイプへ噴き出して点火し、また、作動レバーを緩めると、ガス出口ノズルはばねの作用によって元の位置へ戻り、かつガス出口ノズル底端の気密パッキンは載せ台底端開口を密封してガスの進入を遮断し、同時にガス出口ノズルの肩部とスクリュースリーブの開口には予定された隙間が保持され、ガス出口パイプ内に残るガスは外界の圧力がガス出口パイプ内の圧力よりも大きいので、その隙間、スクリュースリーブの開口個所から漏れ出し、それによって素早く炎を消す効果が達成され、そうすればガスが遮断されても炎が依然燃焼して炎が消えるのが遅い現象、ならびに火災事故等補うことのできない遺憾が起きることを防止することができる。
【課題を解決するための手段】
【０００８】
本発明に係るリリース可能なガス出口バルブの構造は、点火器に使われ、中空の載せ台を備え、その載せ台の底端開口からガスが進入可能であり、スクリュースリーブを備え、そのスクリュースリーブは載せ台の頂端外部に取り付けられ、スクリュースリーブの頂端には開口がある。ガス出口ノズルをさらに備え、そのガス出口ノズルはスクリュースリーブの頂端開口から載せ台の底端開口付近まで伸入し、前記ガス出口ノズルの頂端はフレンジ状に形成されてスクリュースリーブの頂端開口から外へ露出し、前記ガス出口ノズルの外径とスクリュースリーブの内径間の予定された長さに突出し部が設けられ、前記ガス出口ノズルの突出し部にはばねが取り付けられ、ばねの両端はそれぞれ突出し部及びスクリュースリーブ頂端開口内の隣接内壁に当て付けられ、前記ガス出口ノズルの側壁の載せ台に隣接する内径個所には孔が設けられている。気密パッキンをさらに備え、その気密パッキンはガス出口ノズル底端の開口に取り付けられて載せ台の底端開口個所に介在している。ガス出口パイプをさらに備え、そのガス出口パイプはガス出口ノズルのフレンジと接続している。作動レバーをさらに備え、その作動レバーはガス出口ノズルのフレンジとスクリュースリーブの頂端開口間に設けられている。前記ガス出口ノズルの外径のスクリュースリーブの内径開口近くには肩部が設けられ、作動レバーが押し下げられていない場合、前記肩部とスクリュースリーブの開口との間に一定した隙間が保持されている。
【発明を実施するための最良の形態】
【０００９】
本発明は、リリース可能なガス出口バルブの構造に関するものであり、それは点火器に使われ、その点火器は圧力式点火器または一般の点火器でもよく、本発明の一実施例に於いては、図３に示す如く、圧力式点火器を例とする。それには概して長方形の取っ手部５０があり、その取っ手部５０の一端は外へある距離延伸して中空のパイプ５１が設けられ、そのパイプ５１の自由端内には圧力ヘッド５２が設けられ、圧力ヘッド５２の一端５２１とパイプ５１が接続する個所の内径はやや大きいが、それの他端５２２の内径は明らかに小さく、かつ取っ手部５０内にはガス筒５３が設けられ、そのガス筒５３の一端はガス出口バルブと互いに連接している。
【００１０】
ガス出口バルブには中空の載せ台３０が含まれ、その載せ台３０の底端開口３０１からはガス筒５３内のガスが進入でき、載せ台３０の頂端外部からスクリュースリーブ３１が取り付けられ、そのスクリュースリーブ３１の頂端開口３１１からはガス出口ノズル３２が載せ台３０の底端開口３０１付近まで伸入する。また、ガス出口ノズル３２の頂端はフレンジ３２１状に形成されてスクリュースリーブ３１の頂端開口３１１から外へ露出し、それと同時にガス出口ノズル３２のフレンジ３２１はガス出口パイプ３３と接続し、かつガス出口ノズル３２のフレンジ３２１とスクリュースリーブ３１の頂端開口３１１間には作動レバー３５が設けられている。
【００１１】
本実施例に於いて、ガス出口ノズル３２の外径とスクリュースリーブ３１の内径間の予定された長さには突出し部３２２が設けられ、かつガス出口ノズル３２の突出し部３２２にはばね３６が取り付けられており、ばね３６の両端はそれぞれ突出し部３２２及びスクリュースリーブ３１頂端開口３１１内の隣接内壁に当て付けられる。また、ガス出口ノズル３２側壁の載せ台３０に隣接する内径個所には孔３２３が設けられ、かつ気密パッキン３７がガス出口ノズル３２の底端開口３２４で載せ台３０の底端開口３０１個所に介在している。
【００１２】
本実施例のガス出口バルブの技術的特徴として、ガス出口ノズル３２の外径のスクリュースリーブ３１の内径開口３１１近くに肩部３２５が設けられ、作動レバー３５がまだ押し下げられていない場合、その肩部３２５とスクリュースリーブ３１の頂端開口３１１には一定した隙間Ｇが保持されている。
【００１３】
これにより、作動レバー３５が押し下げられると、図４に示すように、ガス出口ノズル３２のフレンジ３２１は引き上げられて底端の気密パッキン３７は上へ移動し、そのために載せ台３０の底端開口３０１が開き、同時にガス出口ノズル３２の肩部３２５とスクリュースリーブ３１の頂端開口３１１は密封されてガスはただちにその中に進入し、かつ矢印方向に沿ってガス出口ノズル３２の孔３２３よりガスパイプ３３に噴出し、点火パイプ（図面には示されていない）の元火を通じて炎が点火される。
【００１４】
作動レバー３５が緩められると、図３に示すように、ガス出口ノズル３２はばね３６によって元の位置に戻り、ガス出口ノズル３２底端の気密パッキン３７は載せ台３０底端の開口３０１を密封してガスの進入を遮断し、同時にガス出口ノズル３２の肩部３２５とスクリュースリーブ３１の頂端開口３１１には一定の隙間Ｇが保持されている。そのためにガス出口パイプ３３内に残っているガスは、外界の圧力がガス出口パイプ３３内のガス圧力より大きいので矢印の方向に沿って逆流し、隙間Ｇ、スクリュースリーブ３１の頂端開口３１１から漏れ出し、速く炎を消す効果が達成される。
【００１５】
図３及び図４に示す如く、本実施例に於いて、前記ガス出口ノズル３２の肩部３２５にはパッキン４０が取り付けられてもよく、かつ作動レバー３５がまだ押し下げられていない場合、それはスクリュースリーブ３１の頂端開口３１１と予定された隙間Ｇを保持している。
【００１６】
図３及び図５に示す如く、本実施例に於いて、前記ガス出口ノズル３２の肩部３２５は円錐面に形成してもよく、かつ作動レバー３５がまだ押し下げられていない場合、それはスクリュースリーブ３１の頂端開口３１１と予定された隙間Ｇを保持している。
また、作動レバー３５が押し下げられると、前記ガス出口ノズル３２の肩部３２５とスクリュースリーブ３１の頂端開口３１１は予定された隙間Ｇを保持しているので、その中に進入するガスの一部は瞬間的に隙間Ｇから漏れ出すが、ガス出口ノズル３２の肩部３２５とスクリュースリーブ３１の頂端開口３１１はただちに密封される。そのため、炎が消えるのが遅くて火災事故等補うことのできない遺憾なことの発生を本発明が解決する下で、このようにガスが瞬間的に隙間Ｇから漏れ出すことは評価に値することである。また、本発明のガス出口バルブは如何なる形式の点火器とも組み合わせ応用することができる。
【図面の簡単な説明】
【００１７】
【図１】従来の圧力式点火器の模式図である。
【図２】図１中のガス出口バルブの模式図である。
【図３】本発明の一実施例による圧力式点火器の模式図である。
【図４】本発明の一実施例によるリリース可能なガス出口バルブの構造を示す模式図である。
【図５】本発明の一実施例によるリリース可能なガス出口バルブの構造を示す模式図である。
【符号の説明】
【００１８】
３０  中空載せ台、３１  スクリュースリーブ、３２  ガス出口ノズル、３３  ガス出口パイプ、３５  作動レバー、３６  ばね、３７  気密パッキン、４０  パッキン、５０  取っ手部、５１  中空パイプ、５２  圧力ヘッド、５３  ガス筒、３０１  底端開口、３１１  頂端開口、３２１  フレンジ、３２２  突出し部、３２３  孔、３２４  底端開口、３２５  肩部、５２１  一端、５２２  他端、Ｇ  予定隙間
【図１】
2005265289.tif 000003
【図２】
2005265289.tif 000004
【図３】
2005265289.tif 000005
【図４】
2005265289.tif 000006
【図５】
2005265289.tif 000007